(57)【要約】【課題】  本発明は、シンク装置に画像データを送信する場合、シンク装置に送信される前の画像データに関する情報をシンク装置に通知するようにすることで、シンク装置による画像データの管理が適切に行われるようにすることを目的とする。【解決手段】  画像データを生成する生成手段と、前記画像データの画素レンジを変換するための所定の処理を行うことによって生成された所定の画像データを外部装置に送信する送信手段と、前記所定の処理が行われた後の前記所定の画像データに関連する所定のデータと、前記所定の画像データとを前記外部装置に送信するように制御する制御手段とを有することを特徴とする。【選択図】図１
2013229818.tif 000002
【特許請求の範囲】
【請求項１】
画像データを生成する生成手段と、
前記画像データの画素レンジを変換するための所定の処理を行うことによって生成された所定の画像データを外部装置に送信する送信手段と、
前記所定の処理が行われた後の前記所定の画像データに関連する所定のデータと、前記所定の画像データとを前記外部装置に送信するように制御する制御手段とを有することを特徴とする画像処理装置。
【請求項２】
前記所定のデータは、前記所定の処理が行われる後の画像データに対応する画素レンジを示すデータを含むことを特徴とする請求項１に記載の画像処理装置。
【請求項３】
前記所定のデータは、前記所定の処理が行われる前に前記生成手段によって生成される画像データのフレームに対応するタイムコードを示すデータを含むことを特徴とする請求項１または２に記載の画像処理装置。
【請求項４】
画像データを生成するステップと、
前記画像データの画素レンジを変換するための所定の処理を行うことによって所定の画像データを生成するステップと、
前記所定の処理が行われた後の前記所定の画像データに関連する所定のデータと、前記所定の画像データとを外部装置に送信するように制御するステップとを有する制御方法。
【請求項５】
コンピュータを請求項１から３のいずれか１項に記載の画像処理装置として機能させるためのプログラム。
【発明の詳細な説明】
【技術分野】
【０００１】
本発明は、画像データを外部に送信する画像処理装置に関する。
【背景技術】
【０００２】
現在、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）と呼ばれる通信インターフェースが提案されている。ＨＤＭＩ規格に準拠した通信システムは、ソース（Ｓｏｕｒｃｅ）装置とシンク（Ｓｉｎｋ）装置とを有する。ソース装置は、画像データをＨＤＭＩインターフェースを介して送信することができる。シンク装置は、ソース装置からの画像データをＨＤＭＩインターフェースを介して受信し、受信した画像データを表示器に表示することができる。
【０００３】
従来、シンク装置の解像度の情報を含むＥＤＩＤ（Ｅｘｔｅｎｄｅｄ  Ｄｉｓｐｌａｙ  Ｉｄｅｎｔｉｆｉｃａｔｉｏｎ  Ｄａｔａ）をシンク装置から取得するソース装置が知られている（特許文献１）。このソース装置は、シンク装置から取得したＥＤＩＤを用いてシンク装置に送信するためのデータを生成する。
【先行技術文献】
【特許文献】
【０００４】
【特許文献１】特開２００９−７７３４７号公報
【発明の概要】
【発明が解決しようとする課題】
【０００５】
このような通信システムにおいて、ソース装置は、シンク装置に画像データを送信する場合、ソース装置に記録されている画像データをＨＤＭＩ規格の伝送方式に対応する画像データに変換するための変換処理を行っていた。さらに、この場合、ソース装置は、ＨＤＭＩ規格の伝送方式に応じて、変換処理によって生成された画像データをシンク装置に送信していた。ソース装置から画像データを受信したシンク装置は、ソース装置からＨＤＭＩ規格の伝送方式に応じて受信した画像データを視聴したり、記録したり、編集したり、管理することができる。
【０００６】
しかし、この場合、シンク装置は、ソース装置によって送信される画像データに関する情報をソース装置から通知されないため、ソース装置から受信した画像データを管理することが不便であった。
【０００７】
そこで、本発明は、シンク装置に画像データを送信する場合、シンク装置に送信される画像データに関する情報をシンク装置に通知するようにすることによって、シンク装置による画像データの管理が適切に行えるようにすることを目的とする。
【課題を解決するための手段】
【０００８】
本発明に係る画像処理装置は、画像データを生成する生成手段と、前記画像データの画素レンジを変換するための所定の処理を行うことによって生成された所定の画像データを外部装置に送信する送信手段と、前記所定の処理が行われた後の前記所定の画像データに関連する所定のデータと、前記所定の画像データとを前記外部装置に送信するように制御する制御手段とを有することを特徴とする。
【０００９】
また、本発明に係る制御方法は、画像データを生成するステップと、前記画像データの画素レンジを変換するための所定の処理を行うことによって所定の画像データを生成するステップと、前記所定の処理が行われた後の前記所定の画像データに関連する所定のデータと、前記所定の画像データとを外部装置に送信するように制御するステップとを有する。
【発明の効果】
【００１０】
本発明によれば、シンク装置に画像データを送信する場合、シンク装置に送信される画像データに関する情報をシンク装置に通知するようにすることによって、シンク装置による画像データの管理が適切に行えるようにすることができる。
【図面の簡単な説明】
【００１１】
【図１】実施例１及び２に係る通信システムの一例を示す図である。
【図２】実施例１及び２に係る画像伝送システムの一例を示す図である。
【図３】実施例１及び２に係る第１の処理の一例を示す図である。
【図４】実施例１及び２に係る第２の処理の一例を示す図である。
【図５】実施例１及び２に係る画像処理装置に表示される表示画面の一例を示す図である。
【図６】実施例１及び２に係る付加データの一例を示す図である。
【図７】実施例１及び２に係る受信装置の一例を示す図である。
【図８】実施例１及び２に係る受信装置において生成されるファイルの構成の一例を示す図である。
【図９】実施例２に係る画像処理装置において行われる画像データの編集を行う際の動作の一例を示す図である。
【発明を実施するための形態】
【００１２】
以下、本発明の実施例の説明は図面を参照しながら行う。ただし、以下の実施例はあくまでも一例であって、本発明は以下の実施例に限定されるものではない。
【００１３】
［実施例１］
実施例１に係る通信システムは、図１に示すように、画像処理装置１００と受信装置３００とが、接続ケーブル２００を介して通信可能に接続されている。実施例１に係る通信システムにおける画像処理装置１００、接続ケーブル２００及び受信装置３００は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）規格に対応する通信を行うことができるデバイスである。なお、実施例１において、接続ケーブル２００は、ＨＤＭＩ規格に対応する通信インターフェースである。
【００１４】
接続ケーブル２００には、不図示のパワーライン、不図示のＨＰＤ（Ｈｏｔ  Ｐｌｕｇ  Ｄｅｔｅｃｔ）ライン及びＤＤＣ（Ｄｉｓｐｌａｙ  Ｄａｔａ  Ｃｈａｎｎｅｌ）ライン２０１が含まれる。さらに、接続ケーブル２００には、ＴＭＤＳライン（Ｔｒａｎｓｉｔｉｏｎ−Ｍｉｎｉｍｉｚｅｄ  Ｄｉｆｆｅｒｅｎｔｉａｌ  Ｓｉｇｎａｌｉｎｇ）２０２及びＣＥＣ（Ｃｏｎｓｕｍｅｒ  Ｅｌｅｃｔｒｏｎｉｃｓ  Ｃｏｎｔｒｏｌ）ライン２０３が含まれる。
【００１５】
なお、画像処理装置１００は、デジタル一眼レフカメラ、デジタルスチルカメラやデジタルビデオカメラ等の撮像装置であっても良く、携帯電話やスマートフォン等の通信装置であってもよい。なお、画像処理装置１００は、画像データを生成する手段を有する電子機器であれば良いものとする。また、受信装置３００は、テレビ、パーソナルコンピュータやプロジェクタ等の表示装置であってもよく、レコーダやハードディスクドライブ等の記録装置であってもよい。
【００１６】
次に、図１を参照し、画像処理装置１００について説明する。画像処理装置１００は、ＣＰＵ（Ｃｅｎｔｒａｌ  Ｐｒｏｃｅｓｓｉｎｇ  Ｕｎｉｔ）１０１、メモリ１０２、通信部１０３、撮像部１０４、画像処理部１０５、記録部１０６、表示部１０７及び操作部１０８を有する。なお、通信部１０３、撮像部１０４、画像処理部１０５及び記録部１０６を含むシステムを画像伝送システム４００と呼ぶ。なお、画像伝送システム４００の構成は、図２に示す。
【００１７】
ＣＰＵ１０１は、メモリ１０２に格納されているコンピュータプログラムに従って、画像処理装置１００の動作を制御する。ＣＰＵ１０１は、受信装置３００から取得した受信装置３００のデバイス情報を解析することにより、受信装置の３００の画像表示能力及び音声処理能力を知ることができる。受信装置３００のデバイス情報とは、受信装置３００に記録されているＥＤＩＤ（Ｅｘｔｅｎｄｅｄ  ｄｉｓｐｌａｙ  ｉｄｅｎｔｉｆｉｃａｔｉｏｎ  ｄａｔａ）またはＥ−ＥＤＩＤ（Ｅｎｈａｎｃｅｄ  ＥＤＩＤ）である。ＥＤＩＤ及びＥ−ＥＤＩＤはいずれも、受信装置３００の識別情報、受信装置３００がサポートしている解像度、走査周波数、アスペクト比、色空間などに関する情報等が含まれている。Ｅ−ＥＤＩＤは、ＥＤＩＤを拡張したものであり、ＥＤＩＤよりも多くの能力情報を含む。例えば、Ｅ−ＥＤＩＤには、受信装置３００がサポートしている映像データ及び音声データのフォーマットなどに関する情報が含まれている。以下、ＥＤＩＤ及びＥ−ＥＤＩＤをいずれも「ＥＤＩＤ」と呼ぶ。
【００１８】
受信装置３００からＤＤＣライン２０１を介して、ＥＤＩＤを取得した画像処理装置１００は、ＤＤＣライン２０１を介して取得したＥＤＩＤを解析する。画像処理装置１００は、ＥＤＩＤの解析結果から受信装置３００の画像表示能力、音声処理能力などを知ることができる。さらに、画像処理装置１００は、受信装置３００の画像表示能力及び音声処理能力に適した映像データ及び音声データを生成することができる。
【００１９】
メモリ１０２は、ＣＰＵ１０１のワークエリアとして機能する。メモリ１０２には、受信装置３００から取得したＥＤＩＤ、画像処理装置１００に関する情報及びＣＰＵ１０１による解析の結果等も格納される。なお、ＣＰＵ１０１のワークエリアは、メモリ１０２に限られるものではなく、ハードディスクドライブ等の外部メモリ等であってもよい。
【００２０】
通信部１０３は、接続ケーブル２００を接続するための接続端子（コネクタ）を有する。さらに、通信部１０３は、ＥＤＩＤ取得部１０３ａ、データ送信部１０３ｂ及びコマンド処理部１０３ｃを有する。
【００２１】
ＥＤＩＤ取得部１０３ａは、ＤＤＣライン２０１を介して受信装置３００からＥＤＩＤを取得する。ＥＤＩＤ取得部１０３ａによって、受信装置３００から取得されたＥＤＩＤは、ＣＰＵ１０１に供給される。
【００２２】
データ送信部１０３ｂは、受信装置３００の画像表示能力に適した映像データ、受信装置３００の音声処理能力に適した音声データ及び補助データを、ＴＭＤＳライン２０２を介して受信装置３００に送信する。データ送信部１０３ｂによって受信装置３００に送信される映像データ及び音声データは、ＥＤＩＤ取得部１０３ａによって取得されるＥＤＩＤに応じて生成される。なお、データ送信部１０３ｂによって受信装置３００に送信される画像データは、静止画データ及び動画データの少なくとも一つを含むものであってもよい。
【００２３】
コマンド処理部１０３ｃは、ＣＥＣライン２０３を介して接続される受信装置３００に、ＣＥＣプロトコルに対応するコマンドを送信することができる。さらに、コマンド処理部１０３ｃは、ＣＥＣライン２０３を介して接続される受信装置３００からＣＥＣプロトコルに対応するコマンドを受信することができる。
【００２４】
なお、コマンド処理部１０３ｃは、受信装置３００から受信したコマンドをＣＰＵ１０１に供給することができる。ＣＰＵ１０１は、コマンド処理部１０３ｃから供給されるコマンドを解析し、その解析結果に応じて、画像処理装置１００を制御する。なお、受信装置３００に送信するコマンドは、ＣＰＵ１０１によって生成される。
【００２５】
撮像部１０４の構成を図２に示す。撮像部１０４は、光学系１０４ａ及び撮像素子１０４ｂを有する。撮像部１０４は、光学系１０４ａを介して入射した被写体の光学像を撮像素子１０４ｂによって光電変換することによって、アナログデータを生成する。撮像部１０４によって生成されたアナログデータは、画像処理部１０５に供給される。撮像素子１０４ｂは、例えば、ＣＭＯＳセンサやＣＣＤセンサ等を含む。
【００２６】
画像処理部１０５の構成を図２に示す。画像処理部１０５は、信号処理部１０５ａ、符号化処理部１０５ｂ、フレームレート変換部１０５ｃ及び画素レンジ変換部１０５ｄを有する。
【００２７】
画像処理部１０５は、撮像部１０４から供給されたアナログデータに対して、アナログデータからデジタルデータに変換するために処理、ゲインコントロール処理及び色補間処理等の処理を行うように信号処理部１０５ａを制御し、画像データを生成する。
【００２８】
信号処理部１０５ａによって生成された画像データは、符号化処理部１０５ｂ及びフレームレート変換部１０５ｃに供給される。信号処理部１０５ａによって生成された画像データは、符号化処理部１０５ｂを介して記録部１０６に供給される。信号処理部１０５ａによって生成された画像データは、フレームレート変換部１０５ｃ及び画素レンジ変換部１０５ｄを介して通信部１０３に供給される。
【００２９】
符号化処理部１０５ｂは、信号処理部１０５ａから供給される画像データに対して、符号化処理を行う。符号化処理は、例えば、適応離散コサイン変換（ＡＤＣＴ）等により画像データを符号化するための処理を含む。なお、画像データを符号化する方式として、例えば、ＪＰＥＧ方式、ＭＰＥＧ方式、ＲＡＷ方式等が挙げられる。符号化処理部１０５ｂによって符号化が行われた画像データは、記録部１０６に供給される。
【００３０】
フレームレート変換部１０５ｃは、信号処理部１０５ａから供給される画像データに対して、フレームレートを変換するための第１の処理を行う。第１の処理は、例えば、信号処理部１０５ａから供給される画像データに対応する第１のフレームレートを第２のフレームレートに変換するための処理を含む。第１のフレームレートは、信号処理部１０５ａからフレームレート変換部１０５ｃに供給される画像データに対応するフレームレートである。第２のフレームレートは、ＴＭＤＳライン２０２を介して画像データを送信するために、ＨＤＭＩ規格によって規定されているフレームレートである。ＴＭＤＳライン２０２を介して受信装置３００に送信される画像データのフレームレートは、第２のフレームレートに対応する必要がある。
【００３１】
第１のフレームレートが第２のフレームレートに対応していない場合、フレームレート変換部１０５ｃは、第１のフレームレートを第２のフレームレートに変換する必要がある。第１のフレームレートが第２のフレームレートに対応していない場合、フレームレート変換部１０５ｃによって、第２のフレームレートに変換された画像データが画素レンジ変換部１０５ｄに供給される。第１のフレームレートが第２のフレームレートに対応している場合、フレームレート変換部１０５ｃは、第１のフレームレートを変換することなく、信号処理部１０５ａから供給される画像データをそのまま、画素レンジ変換部１０５ｄに供給する。第１のフレームレートが第２のフレームレートに対応している場合、フレームレート変換部１０５ｃは、第１の処理を行わない。
【００３２】
第１の処理の一例を、図３に示す。例えば、第１のフレームレートが３０ｐであり、信号処理部１０５ａからフレームレート変換部１０５ｃに供給される画像データにフレームＡ及びフレームＣが含まれているものとする。この場合、例えば、第２のフレームレートが６０ｉであるものとする。フレームレート変換部１０５ｃは、３０ｐのフレームレートに対応するフレームＡを偶数フィールドＡｅと奇数フィールドＡｏとに分割する。さらに、フレームレート変換部１０５ｃは、３０ｐのフレームレートに対応するフレームＣを偶数フィールドＣｅと奇数フィールドＣｏとに分割する。このことによって、３０ｐのフレームレートに対応する画像データを６０ｉの伝送フレームレートに対応する画像データに変換する。フレームレート変換部１０５ｃは、偶数フィールドＡｅ、奇数フィールドＡｏ、偶数フィールドＣｅ、奇数フィールドＣｏの順で受信装置３００に送信されるように、第１の処理が行われた画像データをデータ送信部１０３ｂに供給するようにする。
【００３３】
画素レンジ変換部１０５ｄは、フレームレート変換部１０５ｃから供給される画像データに対して、画素レンジを変換するための第２の処理を行う。なお、画素レンジとは、ビデオコンテンツにおける黒のレベルと白のレベルとの範囲を示すデータである。
【００３４】
第２の処理は、例えば、フレームレート変換部１０５ｃから供給される画像データに対応する第１の画素レンジを第２の画素レンジに変換するための処理を含む。第１の画素レンジは、フレームレート変換部１０５ｃから画素レンジ変換部１０５ｄに供給される画像データに対応する画素レンジである。第２の画素レンジとは、ＴＭＤＳライン２０２を介して画像データを送信するために、ＨＤＭＩ規格によって規定されている画素レンジである。ＴＭＤＳライン２０２を介して受信装置３００に送信される画像データの画素レンジは、第２の画素レンジに対応する必要がある。第１の画素レンジが第２の画素レンジに対応していない場合、画素レンジ変換部１０５ｄは、第１の画素レンジを第２の画素レンジに変換する必要がある。
【００３５】
第１の画素レンジが第２の画素レンジに対応していない場合、画素レンジ変換部１０５ｄによって、第２の画素レンジに変換された画像データがデータ送信部１０３ｂに供給される。第１の画素レンジが第２の画素レンジに対応している場合、画素レンジ変換部１０５ｄは、第１の画素レンジを変換することなく、フレームレート変換部１０５ｃから供給される画像データをそのまま、データ送信部１０３ｂに供給する。第１の画素レンジが第２の画素レンジに対応している場合、画素レンジ変換部１０５ｄは、第２の処理を行わない。
【００３６】
画素レンジ変換部１０５ｄは、下記に示す数式１を用いて、第２の処理を行う。数式１におけるａは、フレームレート変換部１０５ｃから供給される画像データの画素値を示し、数式１におけるｂは、データ送信部１０３ｂによって受信装置３００に送信するための画像データの画素値を示す。
【００３７】
【数１】
2013229818.tif 000003
【００３８】
次に、第２の処理の一例について図４を参照し、説明を行う。この場合、例えば、第１の画素レンジが０−２５５（８ビット）であり、第２の画素レンジが１６−２５５（８ビット）であるものとする。なお、例えば、第１の画素レンジの０は、黒のレベルを示し、２５５は、白のレベルを示す。なお、例えば、第２の画素レンジの１６は、黒のレベルを示し、２５５は、白のレベルを示す。この場合、画素レンジ変換部１０５ｄにおいて、フレームレート変換部１０５ｃから供給される画像データの画素レンジは、数式１に基づいて、第１の画素レンジである「０−２５５」から第２の画素レンジである「１６−２５５」に変換される。さらに、画像処理部１０５は、ＥＤＩＤ取得部１０３ａによって取得されたＥＤＩＤを用いてデータ送信部１０３ｂに供給するための画像データを生成してもよい。
【００３９】
データ送信部１０３ｂは、ＣＰＵ１０１からの指示に応じて、画素レンジ変換部１０５ｄから供給される画像データをＴＭＤＳライン２０２を介して受信装置３００に送信する。
【００４０】
記録部１０６の構成を図２に示す。記録部１０６は、記録媒体１０６ａと接続される場合、記録媒体１０６ａにデータを記録することができる。また、記録部１０６は、記録媒体１０６ａと接続される場合、記録媒体１０６ａに記録されているデータを読み出すことができる。記録部１０６は、記録媒体１０６ａと接続されていない場合、データを記録媒体１０６ａに記録することも、データを記録媒体１０６ａから読み出すこともできない。なお、記録媒体１０６ａは、画像処理装置１００に内蔵されている記録デバイスであってもよく、画像処理装置１００に着脱可能な外部の記録デバイスであってもよいものとする。また、記録媒体１０６ａは、メモリカードであってもよく、ハードディスクドライブであってもよい。
【００４１】
記録部１０６は、ファイル生成部１０６ｂを有する。記録部１０６は、符号化処理部１０５ｂから供給される画像データに対応するファイルを生成するための処理を行うようにファイル生成部１０６ｂを制御する。ファイル生成部１０６ｂによって生成されるファイルには、符号化処理部１０５ｂによって符号化された画像データ及び画像データのステータスデータが含まれる。ステータスデータは、画像データが生成される際の設定を示すデータである。ステータスデータには、例えば、画像データに含まれる各フレームのフレームレートを示すデータや、画像データに含まれる各フレームのタイムコードを示すデータ、画像データに対応する画素レンジを示すデータ、画像データに対応するファイル名等が含まれる。
【００４２】
なお、ファイル生成部１０６ｂは、符号化処理部１０５ｂによって符号化された画像データの各フレームにタイムコードを付加することによって、ファイルを生成する。記録部１０６は、ファイル生成部１０６ｂによって生成されたファイルを記録媒体１０６ａに記録する。さらに、記録部１０６は、ファイル生成部１０６ｂによって生成されたファイルに対応するステータスデータを通信部１０３に供給することもできる。
【００４３】
表示部１０７は、液晶ディスプレイなどの表示器により構成される。表示部１０７は、画像処理装置１００が撮影モードである場合、撮像部１０４及び画像処理部１０５によって生成された画像データを表示する。また、画像処理装置１００が再生モードである場合、表示部１０７は、記録媒体１０６ａから読み出された画像データを表示する。
【００４４】
操作部１０８は、画像処理装置１００を操作するためのユーザインターフェースを提供する。操作部１０８は、画像処理装置１００を操作するためのボタン、スイッチ及びタッチパネル等により構成される。ＣＰＵ１０１は、操作部１０８を介して入力されたユーザの指示に従って画像処理装置１００を制御することができる。ユーザによって操作部１０８のボタンが操作された場合、操作部１０８から各ボタンに応じた操作信号がＣＰＵ１０１に入力される。ＣＰＵ１０１は操作部１０８から入力された操作信号を解析し、解析結果に応じて操作信号に対応した処理を判定する。ＣＰＵ１０１は、操作部１０８から入力された操作信号に対応した処理を実行するように画像処理装置１００を制御する。
【００４５】
ユーザは、操作部１０８を用いて、画像処理装置１００を撮影モード及び再生モードのいずれか一つに設定することができる。また、画像処理装置１００が接続ケーブル２００を介して受信装置３００と通信を行う場合、ユーザは、操作部１０８を用いて、データ送信部１０３ｂにより送信される付加データを設定することもできる。付加データとは、データ送信部１０３ｂによって、ＴＭＤＳライン２０２を介して受信装置３００に送信されるデータである。なお、付加データは、データ送信部１０３ｂによってＴＭＤＳライン２０２を介して受信装置３００に送信される前の画像データに関連するデータを含む。例えば、付加データは、フレームレート変換部１０５ｃによって第１の処理が行われる前の第１のフレームレートを示すデータを含む。さらに、付加データは、画素レンジ変換部１０５ｄによって第２の処理が行われた後の第２の画素レンジを示すデータを含んでいてもよい。さらに、付加データは、ファイル生成部１０６ｂによって生成されたファイルのファイル名を示すデータを含んでいてもよい。さらに、付加データは、ファイル生成部１０６ｂによって生成されたファイルに含まれる画像データの各フレームに対応するタイムコードを示すデータを含んでいてもよい。
【００４６】
次に、表示部１０７に表示される表示画面の一例を図５に示す。図５の（ａ）に示される第１の画面５０１は、光学系１０４ａ、撮像素子１０４ｂ及び信号処理部１０５ａによって生成される画像データの記録フォーマットを設定するための画像データである。第１の画面５０１が表示部１０７に表示されている場合、ユーザは、操作部１０８を操作することによって、所望の記録フォーマットを選択するようにカーソル５０２を制御することができる。この場合、ＣＰＵ１０１は、カーソル５０２によって選択された記録フォーマットに対応する画像データを生成するように光学系１０４ａ、撮像素子１０４ｂ及び信号処理部１０５ａを制御する。なお、第１の画面５０１及びカーソル５０２を用いて、ユーザが設定することができる画像データの記録フォーマットは、例えば、解像度及びフレームレートである。
【００４７】
図５の（ｂ）に示される第２の画面５０３は、付加データを通知するか否かを設定するための画像データである。第２の画面５０３が表示部１０７に表示されている場合、ユーザは、操作部１０８を操作することによって、付加データを通知するか否かを選択するようにカーソル５０４を制御することができる。
【００４８】
この場合、カーソル５０４により付加データの通知の設定として「有効」が選択された場合、ＣＰＵ１０１は、画像処理部１０５からデータ送信部１０３ｂに供給される画像データと、画像データに対応する付加データとが受信装置３００に送信されるようにする。
【００４９】
この場合、カーソル５０４により付加データの通知の設定として「無効」が選択された場合、ＣＰＵ３０１は、画像処理部１０５からデータ送信部１０３ｂに供給される画像データが送信されるようにする。しかし、この場合、ＣＰＵ１０１は、画像処理部１０５からデータ送信部１０３ｂに供給される画像データに対応する付加データが送信されないようにする。
【００５０】
次に、データ送信部１０３ｂが付加データを受信装置３００に送信する場合における画像処理装置１００の動作についての説明を行う。なお、この場合、カーソル５０４により付加データの通知の設定として「有効」が選択されているものとする。
【００５１】
画像処理装置１００が撮影モードであり、かつ、第１の画面５０１によって設定された記録フォーマットに基づいて生成された画像データが記録媒体１０６ａに記録される場合について、以下、説明を行う。この場合、画像処理装置１００は、撮像部１０４及び画像処理部１０５により生成された画像データを記録媒体１０６ａに記録するための処理を行い、撮像部１０４及び画像処理部１０５により生成された画像データを受信装置３００に送信するための処理を行う。この場合、データ送信部１０３ｂは、画像処理部１０５から供給された画像データと、送信される画像データに関連する付加データとをＴＭＤＳライン２０２を介して受信装置３００に送信する。この場合、受信装置３００に送信される付加データには、第１のフレームレートを示すデータ及び第２の画素レンジを示すデータが含まれる。この場合、さらに、受信装置３００に送信される付加データには、受信装置３００に送信される画像データに対応するファイルのファイル名を示すデータが含まれる。この場合、さらに、受信装置３００に送信される付加データには、受信装置３００に送信される画像データに対応するファイルに含まれる画像データの各フレームに対応するタイムコードを示すデータを含まれる。
【００５２】
画像処理装置１００が撮影モードであり、かつ、撮像部１０４及び画像処理部１０５によって生成された画像データが記録媒体１０６ａに記録されていない場合について、以下、説明を行う。この場合、画像処理装置１００は、撮像部１０４及び画像処理部１０５を用いてライブビュー画像データを生成するための処理を行い、撮像部１０４及び画像処理部１０５により生成された画像データを受信装置３００に送信するための処理を行う。この場合、データ送信部１０３ｂは、画像処理部１０５から供給された画像データと、送信される画像データに関連する付加データとをＴＭＤＳライン２０２を介して受信装置３００に送信する。この場合、受信装置３００に送信される付加データには、第１のフレームレートを示すデータ及び第２の画素レンジを示すデータが含まれる。この場合、受信装置３００に送信される付加データには、次に記録されるファイルのファイル名を示すデータが含まれる。なお、受信装置３００に送信される付加データには、タイムコードを示すデータは含まれないものとする。これは、撮像部１０４及び画像処理部１０５によってライブビュー画像データが生成されているが、ライブビュー画像データに対応するファイルがファイル生成部１０６ｂによって生成されていないからである。
【００５３】
画像処理装置１００が再生モードである場合について、以下、説明を行う。この場合、画像処理装置１００は、記録媒体１０６ａに記録されているファイルから画像データを読み出すための処理を行い、記録媒体１０６ａから読み出された画像データを受信装置３００に送信するための処理を行う。この場合、記録媒体１０６ａから読み出された画像データは、不図示の伸長部によって伸長処理が行われてから、フレームレート変換部１０５ｃ及び画素レンジ変換部１０５ｄを介してデータ送信部１０３ｂに供給される。この場合、伸長処理が行われた画像データも、フレームレート変換部１０５ｃによって第１の処理が行われたり、画素レンジ変換部１０５ｄによって第２の処理が行われる。この場合も、データ送信部１０３ｂは、画像処理部１０５から供給された画像データと、送信される画像データに関連する付加データとをＴＭＤＳライン２０２を介して受信装置３００に送信する。この場合、受信装置３００に送信される付加データには、伸長処理が行われてからフレームレート変換部１０５ｃに供給される画像データのフレームレートを示すデータ及び第２の画素レンジを示すデータが含まれる。伸長処理が行われてからフレームレート変換部１０５ｃに供給される画像データのフレームレートを示すデータは、フレームレート変換部１０５ｃによって第１の処理が行われる前の画像データのフレームレートを示すデータである。この場合、さらに、受信装置３００に送信される付加データには、受信装置３００に送信される画像データに対応するファイルのファイル名を示すデータが含まれる。この場合、さらに、受信装置３００に送信される付加データには、受信装置３００に送信される画像データに対応するファイルに含まれる画像データの各フレームに対応するタイムコードを示すデータを含まれる。さらに、受信装置３００に送信される付加データには、第２の画素レンジを示すデータが含まれる。
【００５４】
データ送信部１０３ｂによって、ＴＭＤＳライン２０２を介して受信装置３００に送信される付加データは、例えば、Ｖｅｎｄｏｒ−Ｓｐｅｃｉｆｉｃ  ＩｎｆｏＦｒａｍｅを用いることによって実現することができる。Ｖｅｎｄｏｒ−Ｓｐｅｃｉｆｉｃ  ＩｎｆｏＦｒａｍｅとは、製造者（メーカー）ごとに規定することができるパケットデータである。
【００５５】
図６にデータ送信部１０３ｂによってＴＭＤＳライン２０２を介して送信される付加データの一例を示す。なお、図６に示される付加データは、データ送信部１０３ｂによって送信される画像データに含まれるフレームごとに送信されるものとする。図６のＨＢ０〜ＨＢ２は、３バイトのヘッダである。ＨＢ０〜ＨＢ２には、Ｖｅｎｄｏｒ−Ｓｐｅｃｉｆｉｃ  ＩｎｆｏＦｒａｍｅに関連するデータが記載される。Ｖｅｎｄｏｒ−Ｓｐｅｃｉｆｉｃ  ＩｎｆｏＦｒａｍｅのヘッダ（ＨＢ０〜ＨＢ２）は、ＴＭＤＳライン２０２に含まれるＴＭＤＳ  Ｃｈａｎｎｅｌ  ０によって、画像処理装置１００から受信装置３００に送信される。
【００５６】
図６のＰＢ０〜ＰＢ１６は、１７バイトのボディである。ＰＢ０〜ＰＢ２には、画像処理装置１００のＶｅｎｄｏｒ  ＩＤを示すデータが記載されている。Ｖｅｎｄｏｒ  ＩＤは、画像処理装置１００の製造者（メーカー）を示す識別データである。
【００５７】
ＰＢ３〜ＰＢ６には、タイムコードに関連するデータが記載されている。ＰＢ３には、タイムコードのフレーム数を示すデータが記載され、ＰＢ４には、タイムコードの秒を示すデータが記載され、ＰＢ５には、タイムコードの分を示すデータが記載され、ＰＢ６には、タイムコードの時間を示すデータが記載される。
【００５８】
ＰＢ７には、第１のフレームレートを示すデータが記載される。なお、第１のフレームレートが「３０ｐ」である場合、ＰＢ７には、「３０ｐ」を示すデータが記載される。ＰＢ７に記載されるデータは、第１の処理が行われる前に撮像部１０４及び画像処理部１０５によって生成された画像データのフレームレートを示す。ＰＢ７に記載されるデータは、８ビットによって構成される。ＰＢ７に記載されるデータの上位１ビットによって、第１の処理が行われる前の画像データがインタレースであるか、プログレッシブであるかが示される。第１の処理が行われる前の画像データがインタレースである場合、ＰＢ７に記載されるデータの上位１ビットは、０となる。第１の処理が行われる前の画像データがプログレッシブである場合、ＰＢ７に記載されるデータの上位１ビットは、１となる。ＰＢ７に記載されるデータの下位７ビットによってフレームまたはフィールドレートが示される。例えば、第１の処理が行われる前の画像データのフレームレートが３０ｐである場合、ＰＢ７に記載されるデータの下位７ビットは、「１００１１１１０」となる。また、例えば、第１の処理が行われる前の画像データのフレームレートが６０ｉである場合、ＰＢ７に記載されるデータの下位７ビットは、「００１１１１００」となる。
【００５９】
ＰＢ８には、第２の画素レンジを示すデータが記載される。ＰＢ８に記載されるデータは、第２の処理が行われた後に生成された画像データの画素レンジを示す。ＰＢ８に記載されるデータは、第２の画素レンジの白のレベルを示す。第２の画素レンジの黒のレベルである１６は、ＨＤＭＩ規格に規定されているため、ＰＢ８に記載されていなくてもよい。なお、第２の画素レンジが「１６−２５５」である場合、ＰＢ７には、「２５５」を示すデータが記載される。
【００６０】
ＰＢ９〜ＰＢ１６には、ファイル名を示すデータが記載されている。ＰＢ９〜ＰＢ１６に記載されるデータは、ＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）コードで示される。例えば、ファイル名「ＭＶＩ＿０００１」に対応するファイルが記録媒体１０６ａに記録される場合であって、かつ、データ送信部１０３ｂによってＴＭＤＳライン２０２を介して受信装置３００に画像データが送信される場合について、以下、説明を行う。この場合、ＰＢ９には、「Ｍ」を示す「０ｘ４Ｄ」が記載され、ＰＢ１０には、「Ｖ」を示す「０ｘ５６」が記載され、ＰＢ１１には、「Ｉ」を示す「０ｘ４９」が記載される。さらに、ＰＢ１２には「＿」を示す「０ｘ５ｆ」が記載され、ＰＢ１３〜ＰＢ１５には、「０」を示す「０ｘ３０」が記載され、ＰＢ１６には、「１」を示す「０ｘ３１」が記述される。Ｖｅｎｄｏｒ−Ｓｐｅｃｉｆｉｃ  ＩｎｆｏＦｒａｍｅのボディ（ＰＢ０〜ＰＢ１６）は、ＴＭＤＳライン２０２に含まれるＴＭＤＳ  Ｃｈａｎｎｅｌ  １及びＴＭＤＳ  Ｃｈａｎｎｅｌ  ２によって、画像処理装置１００から受信装置３００に送信される。
【００６１】
次に、画像処理装置１００において行われるファイル名を示すデータを通知する方法について、説明を行う。
【００６２】
画像処理装置１００が撮影モードであり、かつ、撮像部１０４及び画像処理部１０５によって生成された画像データが記録媒体１０６ａに記録されている場合、付加データには、現在、記録されているファイルに対応するファイル名が含まれる。この場合、受信装置３００には、現在、画像処理装置１００において記録が行われているファイルに対応するファイル名が通知される。
【００６３】
画像処理装置１００が撮影モードであり、かつ、撮像部１０４及び画像処理部１０５によって生成された画像データが記録媒体１０６ａに記録されていない場合、付加データには、次に、記録されるファイルに対応するファイル名が含まれる。この場合、受信装置３００には、次に画像処理装置１００において記録が行われるファイルに対応するファイル名が通知される。
【００６４】
なお、撮像部１０４及び画像処理部１０５によって生成された画像データの記録媒体１０６ａへの記録が終了した場合、ＣＰＵ１０１は、付加データに含まれるファイル名を、次に記録が行われるファイルのファイル名に変更する。撮像部１０４及び画像処理部１０５によって生成された画像データの記録媒体１０６ａへの記録が停止された場合も、同様である。撮像部１０４及び画像処理部１０５によって生成された画像データの記録媒体１０６ａへの記録が開始された場合、ＣＰＵ１０１は、付加データに含まれるファイル名を、記録が行われているファイルのファイル名に変更する。
【００６５】
次に、図７を参照し、受信装置３００について説明する。受信装置３００は、ＣＰＵ３０１、画像処理部３０２、通信部３０３、記録部３０４、操作部３０５、メモリ３０６、表示部３０７及びファイル生成部３０８を有する。
【００６６】
ＣＰＵ３０１は、メモリ３０６に記録されているコンピュータプログラムに従って受信装置３００の動作を制御する。
【００６７】
画像処理部３０２は、記録部３０４によって記録媒体３０４ａから読み出された画像データ及び通信部３０３によって画像処理装置１００から受信された画像データのいずれか一つに対してさまざまな画像処理を行う。画像処理部３０２によって画像処理が行われた画像データは、記録部３０４及び表示部３０７の少なくとも一つに供給される。
【００６８】
通信部３０３は、接続ケーブル２００を接続するための接続端子を有する。通信部３０３は、画像処理装置１００から送信された画像データ及び付加データをＴＭＤＳライン２０２を介して受信する。通信部３０３によって画像処理装置１００から受信された画像データは、画像処理部３０２、記録部３０４、表示部３０７及びファイル生成部３０８の少なくとも一つに供給される。通信部３０３によって画像処理装置１００から受信した付加データは、ファイル生成部３０８に供給される。
【００６９】
記録部３０４は、画像処理部３０２から供給される画像データを記録媒体３０４ａに記録する。また、記録部３０４は、記録媒体３０４ａに記録されている画像データを画像処理部３０２及び表示部３０７の少なくとも一つに供給することもできる。記録媒体３０４ａは、受信装置３００に内蔵されているメモリであってもよく、受信装置３００に取り外し可能な外部のメモリであってもよい。
【００７０】
操作部３０５は、受信装置３００を操作するためのユーザインターフェースを提供する。
【００７１】
メモリ３０６は、ＣＰＵ３０１のワークエリアとして機能する。さらに、メモリ１０２は、ＤＤＣライン２０１を介して画像処理装置１００に送信するためのＥＤＩＤを格納している。
【００７２】
表示部３０７は、通信部３０３、画像処理部３０２及び記録部３０４のいずれか一つから供給される画像データを表示する。
【００７３】
ファイル生成部３０８は、通信部３０３から供給される付加データ及び画像データを用いてファイルを生成する。生成されたファイルは、記録部３０４に供給されて記録媒体３０４ａに記録される。
【００７４】
なお、ファイル生成部３０８によって生成されるファイルの一例を図８に示す。図８に示されるファイルは、図６に示される付加データを受信装置３００が画像処理装置１００から受信した場合に、ファイル生成部３０８によって生成される。図８に示されるファイルには、画像データ、ファイル名「ＭＶＩ＿０００１」を示すデータ、第１のフレームレート「３０ｐ」を示すデータ、第２の画素レンジ「１６−２５５」を示すデータが含まれている。図８に示されるファイルには、さらに、画像データの各フレームに対応するタイムコードを示すデータが含まれている。ファイル生成部３０８は、画像処理装置１００から受信した付加データに基づいて、図８のファイルに含まれるファイル名を示すデータ、第１のフレームレートを示すデータ及び第２の画素レンジを示すデータを生成する。さらに、ファイル生成部３０８は、画像処理装置１００から受信した付加データに基づいて、図８のファイルに含まれる画像データの各フレームに対応するタイムコードを示すデータを生成する。ファイル生成部３０８は、通信部３０３から供給される付加データに含まれる各フレームに対するタイムコードと、通信部３０３から供給される画像データに含まれる各フレームとを関連付けることによって、ファイルを生成する。なお、ファイル生成部３０８が画像処理装置１００から受信した画像データを含むファイルを生成する場合、デジタルカメラシステムの規定によると、生成したファイルのファイル名を受信装置３００から画像処理装置１００に指定することはできない。
【００７５】
受信装置３００は、図８に示すファイルを生成することによって、画像処理装置１００から受信した画像データとともに、画像処理装置１００から送信される前の画像データに関連するデータを管理することができる。また、受信装置３００は、画像処理装置１００から受信した付加データを用いて画像処理装置１００から受信した画像データに対して編集を行うように画像処理部３０２を制御することもできる。このため、受信装置３００は、画像処理装置１００によって送信される前の画像データを復元するようにすることもできる。
【００７６】
このように、実施例１における画像処理装置１００は、受信装置３００に画像データを送信する場合、送信される前の画像データに関連するデータを受信装置３００に通知するようにした。このため、受信装置３００は、画像処理装置１００から受信した画像データが送信される前に、どのような画像データであったかどうかを確認することができる。これにより、画像処理装置１００において生成された画像データに対して、受信装置３００に送信するための変換処理が行われたとしても、受信装置３００は、変換処理が行われる前の画像データを受信装置３００において復元することもできる。このため、受信装置３００が受信した画像データの画質が、変換処理によって低下していたとしても、受信装置３００は、画像処理装置１００から受信した画像データを元の高画質の画像データに復元することができる。この場合、受信装置３００は、画像処理装置１００において生成された高画質の画像データを記録することができる。さらに、受信装置３００は、画像処理装置１００において生成された高画質の画像データを編集することができる。さらに、受信装置３００は、画像処理装置１００において生成された高画質の画像データを視聴することができる。したがって、画像処理装置１００は、受信装置３００に画像データを送信する場合、受信装置３００に送信する前の画像データに関するデータを受信装置３００に通知することにより、受信装置３００による画像データの管理が適切に行えるようにすることができる。
【００７７】
さらに、画像処理装置１００は、第２の画素レンジを受信装置３００に通知することで、受信装置３００に送信された画像データの画素レンジが、「１６−２５５」に対応するのか、「１６−２３５」に対応するのかを受信装置３００に認識させることができる。
【００７８】
さらに、画像処理装置１００は、ファイル名及びタイムコードを受信装置３００に通知することで、画像処理装置１００に記録されるファイルのファイル名及びタイムコードが一致するファイルを受信装置３００に生成させることができる。
【００７９】
実施例１において、付加データをＶｅｎｄｏｒ−Ｓｐｅｃｉｆｉｃ  ＩｎｆｏＦｒａｍｅを用いて受信装置３００に通知するようにしたが、これに限られないものとする。
【００８０】
例えば、画像処理装置１００は、Ｓｏｕｒｃｅ  Ｐｒｏｄｕｃｔ  Ｄｅｓｃｒｉｐｔｏｒ  ＩｎｆｏＦｒａｍｅを用いて、第１のフレームレート、第２の画素レンジ及びタイムコードの少なくとも一つを受信装置３００に通知してもよい。
【００８１】
また、例えば、画像処理装置１００は、ＨＥＣ（ＨＤＭＩ  Ｅｔｈｅｒｎｅｔ（登録商標）  Ｃｈａｎｎｅｌ）を用いて、付加データを受信装置３００に通知してもよい。この場合、イーサネット（登録商標）によって、画像処理装置１００から受信装置３００に付加データが送信される。
【００８２】
また、例えば、画像処理装置１００は、ＣＥＣプロトコルに対応するコマンドを用いて、付加データを受信装置３００に通知してもよい。この場合、ＣＥＣプロトコルに対応するコマンドは、例えば、＜Ｖｅｎｄｏｒ  Ｃｏｍｍａｎｄ  ｗｉｔｈ  ＩＤ＞である。＜Ｖｅｎｄｏｒ  Ｃｏｍｍａｎｄ  ｗｉｔｈ  ＩＤ＞は、Ｖｅｎｄｏｒ  ＩＤを含むコマンドであって、製造者（メーカー）ごとに規定することができるコマンドである。この場合、ＣＥＣライン２０３を介して、画像処理装置１００から受信装置３００に付加データが送信される。
【００８３】
［実施例２］
実施例２において、実施例１と共通する部分については、その説明を省略し、実施例１と異なる部分について説明する。
【００８４】
実施例２に係る画像処理装置１００は、付加データをＣＥＣプロトコルに規定されている＜Ｖｅｎｄｏｒ  Ｃｏｍｍａｎｄ  ｗｉｔｈ  ＩＤ＞を用いて、受信装置３００に通知するものとする。この場合、受信装置３００は、＜Ｖｅｎｄｏｒ  Ｃｏｍｍａｎｄ  ｗｉｔｈ  ＩＤ＞を用いることで画像処理装置１００から取得した付加データに基づいて、画像処理装置１００に記録されるファイルのファイル名及びタイムコードが一致するファイルを記録する。
【００８５】
次に、図９を参照し、画像データの編集を行う際における画像処理装置１００及び受信装置３００の動作について説明を行う。
【００８６】
画像処理装置１００に記録されているファイルをメインの画像として用いるとともに、受信装置３００に付加データに基づいて生成されたファイルをプロキシ画像として用いるための処理を図９の（ａ）に示す。
【００８７】
データ送信部１０３ｂによって画像データがＴＭＤＳライン２０２を介して受信装置３００に送信される場合に、撮像部１０４及び画像処理部１０５によって生成される画像データが記録媒体１０６ａに記録されていない場合、ＣＰＵ１０１は、Ｓ１の処理を行う。Ｓ１において、ＣＰＵ１０１は、次に画像処理装置１００によって記録されるファイルに対応するファイル名を含む＜Ｖｅｎｄｏｒ  Ｃｏｍｍａｎｄ  ｗｉｔｈ  ＩＤ＞を受信装置３００に送信するようにコマンド処理部１０３ｃを制御する。なお、次に画像処理装置１００によって記録されるファイルに対応するファイル名を含む＜Ｖｅｎｄｏｒ  Ｃｏｍｍａｎｄ  ｗｉｔｈ  ＩＤ＞を「第１のコマンド」と呼ぶものとする。第１のコマンドには、さらに、第１のフレームレートを示すデータ及び第２の画素レンジを示すデータが含まれているものとする。
【００８８】
Ｓ２において、ユーザから画像データの記録を開始するための操作信号が操作部１０８を介して画像処理装置１００に入力される。この場合、ＣＰＵ１０１は、撮像部１０４及び画像処理部１０５によって生成される画像データを含むファイルを生成するようにファイル生成部１０６ｂを制御する。この場合、Ｓ３において、ＣＰＵ１０１は、ファイル生成部１０６ｂによって生成されるファイルに対応するファイル名を含む＜Ｖｅｎｄｏｒ  Ｃｏｍｍａｎｄ  ｗｉｔｈ  ＩＤ＞を受信装置３００に送信するようにコマンド処理部１０３ｃを制御する。なお、ファイル生成部１０６ｂによって生成されるファイルに対応するファイル名を含む＜Ｖｅｎｄｏｒ  Ｃｏｍｍａｎｄ  ｗｉｔｈ  ＩＤ＞を「第２のコマンド」と呼ぶものとする。第２のコマンドには、さらに、第１のフレームレートを示すデータ、第２の画素レンジを示すデータ及び記録媒体１０６ａに記録されるファイルに含まれる画像データに対応するタイムコードを示すデータが含まれているものとする。
【００８９】
Ｓ４において、ユーザから画像データの記録を開始するための操作信号が操作部３０５を介して受信装置３００に入力される。この場合、ＣＰＵ３０１は、通信部３０３によって画像処理装置１００から受信された画像データと、Ｓ３において画像処理装置１００から通知された第２のコマンドとを用いてファイルを生成するようにファイル生成部３０８を制御する。この場合、ファイル生成部３０８において、ファイル生成部１０６ｂにより生成されるファイルのファイル名及びタイムコードが一致するファイルが生成される。
【００９０】
Ｓ５において、ユーザから画像データの記録を終了するための操作信号が操作部３０５を介して受信装置３００に入力される。この場合、ＣＰＵ３０１は、ファイル生成部３０８によって生成されたファイルを記録媒体３０４ａに記録するように記録部３０４を制御する。
【００９１】
Ｓ６において、ユーザから画像データの記録を終了するための操作信号が操作部１０８を介して画像処理装置１００に入力される。この場合、ＣＰＵ１０１は、ファイル生成部１０６ｂによって生成されたファイルを記録媒体１０６ａに記録するように記録部１０６を制御する。この後、撮像部１０４及び画像処理部１０５によって生成される画像データは、記録媒体１０６ａに記録されなくなる。
【００９２】
次に、Ｓ７において、ＣＰＵ１０１は、Ｓ１の処理と同様に、第１のコマンドを受信装置３００に送信するようにコマンド処理部１０３ｃを制御する。Ｓ７の処理は、画像データの記録を開始するための操作信号が操作部１０８を介して画像処理装置１００に入力されるまで、ＣＰＵ１０１によって行われる。
【００９３】
次に、画像処理装置１００に記録されているファイルをプロキシ画像として用いるとともに、受信装置３００に付加データに基づいて生成されたファイルをメインの画像として用いるための処理を図９の（ｂ）に示す。
【００９４】
データ送信部１０３ｂによって画像データがＴＭＤＳライン２０２によって受信装置３００に送信される場合に、撮像部１０４及び画像処理部１０５によって生成される画像データが記録媒体１０６ａに記録されていない場合、ＣＰＵ１０１は、Ｓ１１の処理を行う。Ｓ１１において、ＣＰＵ１０１は、Ｓ１の処理と同様に、第１のコマンドを受信装置３００に送信するようにコマンド処理部１０３ｃを制御する。
【００９５】
Ｓ１２において、ユーザから画像データの記録を開始するための操作信号が操作部３０５を介して受信装置３００に入力される。この場合、ＣＰＵ３０１は、通信部３０３によって画像処理装置１００から受信された画像データと、Ｓ１１において画像処理装置１００から通知された第１のコマンドとを用いてファイルを生成するようにファイル生成部３０８を制御する。
【００９６】
Ｓ１３において、ユーザから画像データの記録を開始するための操作信号が操作部１０８を介して画像処理装置１００に入力される。この場合、ＣＰＵ１０１は、撮像部１０４及び画像処理部１０５によって生成される画像データを含むファイルを生成するようにファイル生成部１０６ｂを制御する。この場合、Ｓ１４において、ＣＰＵ１０１は、第２のコマンドを受信装置３００に送信するようにコマンド処理部１０３ｃを制御する。この場合、ＣＰＵ３０１は、Ｓ１２において生成されるファイルに含まれるファイル名を、Ｓ１４において画像処理装置１００から通知された第２のコマンドに含まれるファイル名に置き換えるようにファイル生成部３０８を制御する。さらに、この場合、ＣＰＵ３０１は、Ｓ１２において生成されるファイルに、Ｓ１４において画像処理装置１００から通知された第２のコマンドに含まれるタイムコードを示すデータを追加する。
【００９７】
Ｓ１５において、ユーザから画像データの記録を終了するための操作信号が操作部１０８を介して画像処理装置１００に入力される。この場合、ＣＰＵ１０１は、ファイル生成部１０６ｂによって生成されたファイルを記録媒体１０６ａに記録するように記録部１０６を制御する。この後、撮像部１０４及び画像処理部１０５によって生成される画像データは、記録媒体１０６ａに記録されなくなる。
【００９８】
次に、Ｓ１６において、ＣＰＵ１０１は、Ｓ１１の処理と同様に、第１のコマンドを受信装置３００に送信するようにコマンド処理部１０３ｃを制御する。Ｓ１６の処理は、画像データの記録を開始するための操作信号が操作部１０８を介して画像処理装置１００に入力されるまで、ＣＰＵ１０１によって行われる。
【００９９】
Ｓ１７において、ユーザから画像データの記録を終了するための操作信号が操作部３０５を介して受信装置３００に入力される。この場合、ＣＰＵ３０１は、ファイル生成部３０８によって生成されたファイルを記録媒体３０４ａに記録するように記録部３０４を制御する。
【０１００】
なお、第１のコマンドの第１のフレームレートと、第２のコマンドの第１のフレームレートとが異なる場合、ＣＰＵ３０１は、ファイル生成部３０８で生成されるファイルに含まれる第１のフレームレートを最新の第１のフレームレートに置き換えてもよい。また、第１のコマンドの第２の画素レンジと、第２のコマンドの第２の画素レンジとが異なる場合、ＣＰＵ３０１は、ファイル生成部３０８で生成されるファイルに含まれる第２の画素レンジを最新の第２の画素レンジに置き換えてもよい。
【０１０１】
このように、実施例２に係る画像処理装置１００は、ファイル名及びタイムコードを受信装置３００に通知することで、画像処理装置１００に記録されるファイルのファイル名及びタイムコードが一致するファイルを受信装置３００に生成させることができる。これにより、実施例２に係る画像処理装置１００は、画像データの編集を行う際、画像処理装置１００に記録されているファイルをメインの画像として用いるとともに、受信装置３００で生成されたファイルをプロキシ画像として用いるようにすることができる。また、実施例２に係る画像処理装置１００は、画像データの編集を行う際、画像処理装置１００に記録されているファイルをプロキシ画像として用いるとともに、受信装置３００で生成されたファイルをメインの画像として用いるようにすることができる。
【０１０２】
実施例１及び２における第１のフレームレートは、３０ｐに限られるものではない。
【０１０３】
実施例１及び２における第２の画素レンジは、１６−２５５に限られるものではなく、第２の画素レンジは、１０ビット幅で色空間を表すシステムであれば、例えば、６４−１０２３であってもよい。この場合、第２の画素レンジの黒のレベルは、「６４」となり、第２の画素レンジの白のレベルは、「１０２３」となる。
【０１０４】
なお、実施例１及び２における画像処理装置１００、接続ケーブル２００及び受信装置３００は、ＨＤＭＩ規格と互換性のある規格に対応するものであってもよい。
【０１０５】
なお、実施例１及び２における画像処理装置１００、接続ケーブル２００及び受信装置３００は、ＤＶＩ（Ｄｉｇｉｔａｌ  Ｖｉｓｕａｌ  Ｉｎｔｅｒｆａｃｅ）（登録商標）規格に対応するものであってもよい。
【０１０６】
また、実施例１及び２における画像処理装置１００、接続ケーブル２００及び受信装置３００は、Ｄｉｓｐｌａｙ  Ｐｏｒｔ（登録商標）規格に対応するものであってもよい。
【０１０７】
また、実施例１及び２における画像処理装置１００、接続ケーブル２００及び受信装置３００は、ＤｉｉＶａ（Ｄｉｇｉｔａｌ  Ｉｎｔｅｒｆａｃｅ  ｆｏｒ  Ｖｉｄｅｏ  ａｎｄ  Ａｕｄｉｏ）に対応するものであってもよい。
【０１０８】
また、実施例１及び２における画像処理装置１００、接続ケーブル２００及び受信装置３００は、ＭＨＬ（Ｍｏｂｉｌｅ  Ｈｉｇｈ−ｄｅｆｉｎｉｔｉｏｎ  Ｌｉｎｋ）（登録商標）規格に対応するものであってもよい。
【０１０９】
また、実施例１及び２における画像処理装置１００、接続ケーブル２００及び受信装置３００は、ＵＳＢ（Ｕｎｉｖｅｒｓａｌ  Ｓｅｒｉａｌ  Ｂｕｓ）規格に対応するものであってもよい。
【０１１０】
また、実施例１及び２における画像処理装置１００によって生成される画像データは、無線により受信装置３００に送信されるようにしてもよい。そのため、実施例１及び２における画像処理装置１００及び受信装置３００は、Ｗｉｒｅｌｅｓｓ  ＨＤ（登録商標）規格に対応するものであってもよい。また、実施例１及び２における画像処理装置１００及び受信装置３００は、ＷＨＤＩ（Ｗｉｒｅｌｅｓｓ  Ｈｏｍｅ  Ｄｉｇｉｔａｌ  Ｉｎｔｅｒｆａｃｅ）規格に対応するものであってもよい。
【０１１１】
［他の実施例］
本発明に係る画像処理装置は、実施例１及び２で説明した画像処理装置１００に限定されるものではない。また、本発明に係る受信装置は、実施例１及び２で説明した受信装置３００に限定されるものではない。本発明に係る画像処理装置は、例えば、複数の装置から構成されるシステムにより実現することも可能である。また、本発明に係る受信装置は、例えば、複数の装置から構成されるシステムにより実現することも可能である。
【０１１２】
また、実施例１及び２において説明した処理、構成、機能及びシステムは、コンピュータで実行可能なコンピュータプログラムによって実現することもできる。この場合、当該コンピュータプログラムは、コンピュータ読取可能な記録媒体から当該コンピュータによって読み出され、当該コンピュータで実行される。また、この場合、当該コンピュータ読取可能な記録媒体には、ハードディスク装置、光ディスク、ＣＤ−ＲＯＭ、ＣＤ−Ｒ、メモリカード、ＲＯＭ等を用いることができる。なお、当該コンピュータプログラムは、通信インターフェースを介して外部装置から当該コンピュータに提供され、当該コンピュータで実行されるようにしてもよい。
【符号の説明】
【０１１３】
１００  画像処理装置
３００  受信装置
【図１】
2013229818.tif 000004
【図２】
2013229818.tif 000005
【図３】
2013229818.tif 000006
【図４】
2013229818.tif 000007
【図５】
2013229818.tif 000008
【図６】
2013229818.tif 000009
【図７】
2013229818.tif 000010
【図８】
2013229818.tif 000011
【図９】
2013229818.tif 000012